(57)【要約】【課題】  外観を損ねることなく指針の位置を確実に検出できる電子時計、電子時計の針位置検出制御方法、針位置検出プログラム、および記録媒体を提供すること。【解決手段】透光性を有する文字板５の裏面側に、針位置検出装置８の発光装置および受光装置を配置する。指針６の裏面側には鏡面部６１１，６２１，６３１を形成する。発光装置から出光される光は、文字板５を透過し、鏡面部６１１，６２１，６３１で反射され、受光装置で受光される。文字板５が透光性を有しているので、針位置検出装置８を文字板５の裏面側に配置することができ、電波修正時計１の外観を損なわない。また、針位置検出装置８を文字板５の裏面側に配置しても、文字板５が透光性を有しているので、発光装置からの光が文字板５を透過でき、指針６の位置を確実に検出できる。【選択図】 図２
2006275803.tif 000002
【特許請求の範囲】
【請求項１】
透光性を有する文字板と、前記文字板の表面側に配置された指針と、前記文字板の裏面側に配置され光エネルギを電気エネルギに変換して発電する光発電装置とを備えた電子時計であって、
前記文字板の裏面側に配置され前記指針に向かって出光する発光装置と、前記文字板の裏面側に配置され前記発光装置から出光される光のうち前記指針から反射される反射光を受光する受光装置と、前記受光装置での前記反射光の受光により前記指針の位置を認識する針位置検出部とを有する針位置検出装置を備えた
ことを特徴とする電子時計。
【請求項２】
請求項１に記載の電子時計において、
前記指針は、少なくとも時針および分針を備え、
前記針位置検出装置は、前記時針の位置を検出する時針用位置検出装置と、前記分針の位置を検出する分針用位置検出装置とを備え、
前記時針用位置検出装置の発光装置および受光装置は、前記分針用位置検出装置の発光装置および受光装置よりも、前記指針の回転中心側に配置されている
ことを特徴とする電子時計。
【請求項３】
請求項１または請求項２に記載の電子時計において、
前記指針は、秒針と、時針および分針の少なくとも一方とを備え、
前記針位置検出装置は、前記秒針の位置を検出する秒針用位置検出装置と、前記時針の位置を検出する時針用位置検出装置および前記分針の位置を検出する分針用位置検出装置の少なくとも一方とを備え、
前記秒針用位置検出装置の発光装置および受光装置は、前記時針用位置検出装置の発光装置および受光装置、ならびに前記分針用位置検出装置の発光装置および受光装置の少なくとも一方に対して、前記指針の回転中心を挟んで反対側に配置されている
ことを特徴とする電子時計。
【請求項４】
請求項１から請求項３のいずれかに記載の電子時計において、
前記光発電装置は、基板と、基板上に配置され光電変換により発電を行う光電変換部とを備え、
前記光電変換部は、前記基板上に複数個に分割されて配置され、
前記発光装置および受光装置の少なくとも一つは、複数の前記光電変換部間に形成される空隙部に配置される
ことを特徴とする電子時計。
【請求項５】
文字板と、前記文字板の表面側に配置された指針と、光エネルギを電気エネルギに変換して発電する光発電装置とを備えた電子時計であって、
前記指針に向かって出光する発光装置と、前記発光装置から出光される光のうち前記指針から反射される反射光を受光する受光装置と、前記受光装置での前記反射光の受光により前記指針の位置を認識する針位置検出部とを有する針位置検出装置と、
前記文字板に照射される光の照度を検出する照度検出部と、
前記照度検出部で検出された照度に応じて前記針位置検出装置の動作を制御する針位置検出制御部とを備えた
ことを特徴とする電子時計。
【請求項６】
請求項５に記載の電子時計において、
前記針位置検出制御部は、前記照度検出部で検出された照度が予め設定された設定照度より大きい場合に、前記指針の針位置検出動作を停止する
ことを特徴とする電子時計。
【請求項７】
請求項５または請求項６に記載の電子時計において、
前記針位置検出制御部は、前記照度検出部で検出された照度に応じて、前記発光装置の発光出力または前記針位置検出部の検出能力を調整する
ことを特徴とする電子時計。
【請求項８】
文字板と、前記文字板の表面側に配置された指針と、光エネルギを電気エネルギに変換して発電する光発電装置と、発光装置および受光装置を有し前記指針の位置を検出する針位置検出装置とを備えた電子時計の針位置検出制御方法であって、
前記発光装置から前記指針に向かって出光し、前記受光装置により、前記発光装置から出光される光のうち前記指針から反射される反射光を受光し、前記受光装置での前記反射光の受光により前記指針の位置を認識する針位置検出工程と、
前記文字板に照射される光の照度を検出する照度検出工程と、
前記照度検出工程で検出された照度に応じて前記針位置検出工程での針位置検出動作を制御する針位置検出制御工程とを備えた
ことを特徴とする電子時計の針位置検出制御方法。
【請求項９】
文字板と、前記文字板の表面側に配置された指針と、光エネルギを電気エネルギに変換して発電する光発電装置と、発光装置および受光装置を有し前記指針の位置を検出する針位置検出装置とを備えた電子時計の針位置検出プログラムであって、
前記電子時計に組み込まれたコンピュータに、
前記発光装置から前記指針に向かって出光し、前記受光装置により、前記発光装置から出光される光のうち前記指針から反射される反射光を受光し、前記受光装置での前記反射光の受光により前記指針の位置を認識する針位置検出工程と、
前記文字板に照射される光の照度を検出する照度検出工程と、
前記照度検出工程で検出された照度に応じて前記針位置検出工程での針位置検出動作を制御する針位置検出制御工程とを実行させることを特徴とする電子時計の針位置検出プログラム。
【請求項１０】
請求項９に記載の電子時計の針位置検出プログラムが記録されたコンピュータ読み取り可能な記録媒体。
【請求項１１】
文字板と、前記文字板の表面側に配置された指針と、光エネルギを電気エネルギに変換して発電する光発電装置とを備えた電子時計であって、
前記指針に向かって出光する発光装置と、前記発光装置から出光される光のうち前記指針から反射される反射光を受光する受光装置と、前記受光装置での前記反射光の受光により前記指針の位置を認識する針位置検出部とを有する針位置検出装置と、
前記文字板に照射される光の照度を検出する照度検出部と、
前記文字板の表面側に配置され前記文字板への光の照射を遮蔽可能なシャッター装置と、
前記照度検出部で検出された照度に応じて前記シャッター装置の動作を制御するシャッター動作制御部とを備えた
ことを特徴とする電子時計。
【請求項１２】
請求項１１に記載の電子時計において、
前記シャッター装置は、電子光学的装置である
ことを特徴とする電子時計。
【請求項１３】
文字板と、前記文字板の表面側に配置された指針と、光エネルギを電気エネルギに変換して発電する光発電装置と、発光装置および受光装置を有し前記指針の位置を検出する針位置検出装置とを備えた電子時計の針位置検出制御方法であって、
前記発光装置から前記指針に向かって出光し、前記受光装置により、前記発光装置から出光される光のうち前記指針から反射される反射光を受光し、前記受光装置での前記反射光の受光により前記指針の位置を認識する針位置検出工程と、
前記文字板に照射される光の照度を検出する照度検出工程と、
前記照度検出工程で検出された照度に応じて、前記文字板の表面側に配置され前記文字板への光の照射を遮蔽可能なシャッター装置の動作を制御するシャッター動作制御工程とを備えた
ことを特徴とする電子時計の針位置検出制御方法。
【請求項１４】
文字板と、前記文字板の表面側に配置された指針と、前記文字板の裏面側に配置され光エネルギを電気エネルギに変換して発電する光発電装置と、発光装置および受光装置を有し前記指針の位置を検出する針位置検出装置とを備えた電子時計の針位置検出プログラムであって、
前記電子時計に組み込まれたコンピュータに、
前記発光装置から前記指針に向かって出光し、前記受光装置により、前記発光装置から出光される光のうち前記指針から反射される反射光を受光し、前記受光装置での前記反射光の受光により前記指針の位置を認識する針位置検出工程と、
前記文字板に照射される光の照度を検出する照度検出工程と、
前記照度検出工程で検出された照度に応じて、前記文字板の表面側に配置され前記文字板への光の照射を遮蔽可能なシャッター装置の動作を制御するシャッター動作制御工程とを実行させることを特徴とする電子時計の針位置検出プログラム。
【請求項１５】
請求項１４に記載の電子時計の針位置検出プログラムが記録されたコンピュータ読み取り可能な記録媒体。
【発明の詳細な説明】
【技術分野】
【０００１】
本発明は、指針の位置を検出する針位置検出機能を有する電子時計、この電子時計の針位置検出制御方法、この電子時計の針位置検出プログラム、および針位置検出プログラムが記録された記録媒体に関する。
【背景技術】
【０００２】
従来、電子時計の指針の位置を検出するものとしては、例えば文字板に形成された窓に光電センサを取り付け、光電センサにより発光した光を指針の裏面で反射し、光電センサで受光することによって指針の位置を検出するというものが知られている（例えば、特許文献１参照）。
また、指針の位置を検出する他の方法としては、例えば指針の先端側を折りまげてかぎ状に形成し、発光口からの光を先端面で反射させて受光口より受光することにより、指針の位置を検出する方法が提案されている（例えば、特許文献２参照）。
これらの特許文献１および特許文献２のような電子時計においては、従来歯車の回転角度などを検出することによって指針の位置を認識するものとは異なり、指針の位置を直接検出するので、確実な検出が行える。
【０００３】
【特許文献１】実開平６−５６７８７号公報（第２図）
【特許文献２】実開平６−３０７９５号公報（第６図）
【発明の開示】
【発明が解決しようとする課題】
【０００４】
しかしながら特許文献１の電子時計では、光電センサを取り付けるために、文字板に窓を形成する必要があり、電子時計の外観を損ねるという問題がある。特許文献２の電子時計においては、指針をかぎ状に折り曲げる必要があるため、やはり時計の外観を損ねてしまう。また、特許文献２の時計では、指針をかぎ状に形成する必要があるため、指針のデザインが制約され、デザインの多様化を促進できない。
【０００５】
また、指針の位置を光電センサによって検出するには、指針に向かって光電センサから発光する必要があるが、例えば電子時計が腕時計である場合などでは、室外で使用する時に太陽光などの強い光が文字板に照射されることがある。このような場合には、光電センサからの光が相対的に弱くなって反射光が良好に受光できず指針が検出できなかったり、太陽光を受光することで光電センサが誤検出してしまったりする可能性があり、指針の検出性能の確実性が確保できない。
【０００６】
本発明の第一の目的は、外観を損ねることなく指針の位置を確実に検出できる電子時計、この電子時計の制御方法、この電子時計の針位置検出プログラム、および針位置検出プログラムが記録された記録媒体を提供することにある。
また、本発明の第二の目的は、外部からの光の照射など外部環境に影響を受けることなく指針の位置を確実に検出できる電子時計、この電子時計の制御方法、この電子時計の針位置検出プログラム、および針位置検出プログラムが記録された記録媒体を提供することにある。
【課題を解決するための手段】
【０００７】
本発明の電子時計は、透光性を有する文字板と、文字板の表面側に配置された指針と、文字板の裏面側に配置され光エネルギを電気エネルギに変換して発電する光発電装置とを備えた電子時計であって、文字板の裏面側に配置され指針に向かって出光する発光装置と、文字板の裏面側に配置され発光装置から出光される光のうち指針から反射される反射光を受光する受光装置と、受光装置での反射光の受光により指針の位置を認識する針位置検出部とを有する針位置検出装置を備えたことを特徴とする。
【０００８】
この発明によれば、発光装置からの光は、透光性を有する文字板を透過し指針に到達し、指針で反射されて受光装置で受光される。この受光装置の受光により、針位置検出部が指針の位置を認識する。文字板が透光性を有し、発光装置および受光装置が文字板の裏面側に配置されているので、これらの発光装置および受光装置が文字板から露出することがなく、電子時計の外観を損ねることがない。また、文字板が透光性を有しているので、発光装置および受光装置を文字板の裏面側に配置しても、出光された光および指針からの反射光が良好に文字板を透過するから、電子時計の良好な外観を確保しながら、指針の位置の検出が確実となる。これにより、本発明の第一の目的が達成される。
ここで、文字板の表面側とは、文字板において外部から視認可能な面側をいい、また、文字板の裏面側とは、表面側とは反対側の面側をいう。
【０００９】
本発明では、指針は、少なくとも時針および分針を備え、針位置検出装置は、時針の位置を検出する時針用位置検出装置と、分針の位置を検出する分針用位置検出装置とを備え、時針用位置検出装置の発光装置および受光装置は、分針用位置検出装置の発光装置および受光装置よりも、指針の回転中心側に配置されていることが望ましい。
この発明によれば、時針用位置検出装置の発光装置および受光装置が、分針用位置検出装置の発光装置および受光装置よりも指針の回転中心側に配置されているので、両者が互いに半径方向にずれた位置に配置される。したがって、時針用位置検出装置によって分針を検出したり、分針用位置検出装置によって時針を検出するといった誤動作が防止され、指針の位置検出がより確実となる。特に、時針が分針よりも短く形成され、分針より文字板側に配置されている場合では、分針用位置検出装置の発光装置および受光装置を時針先端よりも半径方向外側に配置すれば、分針用位置検出装置が時針を検出することがなく、誤検出がより確実に防止される。
【００１０】
本発明では、指針は、秒針と、時針および分針の少なくとも一方とを備え、針位置検出装置は、秒針の位置を検出する秒針用位置検出装置と、時針の位置を検出する時針用位置検出装置および分針の位置を検出する分針用位置検出装置の少なくとも一方とを備え、秒針用位置検出装置の発光装置および受光装置は、時針用位置検出装置の発光装置および受光装置、ならびに分針用位置検出装置の発光装置および受光装置の少なくとも一方に対して、指針の回転中心を挟んで反対側に配置されていることが望ましい。
この発明によれば、秒針用位置検出装置が、時針用位置検出装置および分針用位置検出装置の少なくとも一方に対して指針の回転中心を挟んで反対側に配置されているので、分針および時針の少なくとも一方と秒針とが重なる位置においても、秒針が分針や時針に邪魔されることなく検出されるから、秒針の位置検出が確実となる。
【００１１】
本発明では、光発電装置は、基板と、基板上に配置され光電変換により発電を行う光電変換部とを備え、光電変換部は、基板上に複数個に分割されて配置され、発光装置および受光装置の少なくとも一つは、複数の光電変換部間に形成される空隙部に配置されることが望ましい。
この発明によれば、発光装置および受光装置の少なくとも一つが空隙部に配置されているので、光電変換部の面積の低減が防止される。したがって、発電効率の低下が防止され、光発電装置の良好な発電効率が確保される。
【００１２】
本発明の電子時計は、文字板と、文字板の表面側に配置された指針と、光エネルギを電気エネルギに変換して発電する光発電装置とを備えた電子時計であって、指針に向かって出光する発光装置と、発光装置から出光される光のうち指針から反射される反射光を受光する受光装置と、受光装置での反射光の受光により指針の位置を認識する針位置検出部とを有する針位置検出装置と、文字板に照射される光の照度を検出する照度検出部と、照度検出部で検出された照度に応じて針位置検出装置の動作を制御する針位置検出制御部とを備えたことを特徴とする。
【００１３】
この発明によれば、発光装置からの光は、指針で反射されて受光装置で受光される。この受光装置の受光により、針位置検出部が指針の位置を認識する。針位置検出制御部が、照度検出部で検出された照度に応じて針位置検出装置の動作を制御するので、例えば昼に電子時計の外部から太陽光が強く入射する場合や、夜に電子時計に光がほとんど入射しない場合など、外部の状況に合わせて針位置検出装置の動作を制御することにより、状況に応じた柔軟な動作が可能となり、指針の位置検出がより正確となり、位置検出性能が向上する。これにより本発明の第二の目的が達成される。
【００１４】
本発明では、針位置検出制御部は、照度検出部で検出された照度が予め設定された設定照度より大きい場合に、指針の針位置検出動作を停止することが望ましい。
例えば昼の屋外で電子時計の外部から太陽光が強く入射する場合などでは、照度検出部で検出される照度が大きくなる。この場合には、発光装置から出光される光が相対的に弱くなったり、あるいは、受光装置が外部からの太陽光を受光して誤検出してしまったり、受光装置での受光動作が不安定となる場合がある。この発明によれば、針位置検出制御部は、照度検出部で検出された照度が設定照度より大きい場合には、指針の位置検出動作を行わないので、誤検出が防止される。また、指針の位置検出が適切に行えない状況であると判断した場合に無駄な位置検出動作を行わないので、電子時計の省力化が促進される。
【００１５】
本発明では、針位置検出制御部は、照度検出部で検出された照度に応じて、発光装置の発光出力または針位置検出部の検出能力を調整することが望ましい。
この発明によれば、針位置検出制御部が照度検出部で検出された照度に応じて発光装置の発光出力を調整することにより、受光装置で受光される反射光の光量も調整される。したがって、例えば外部からの入射光が強く照度が大きい場合に発光装置の発光出力を増加させれば、受光装置での受光量も大きくなり、外部の環境にかかわらず指針の針位置検出が良好に行われる。
また、針位置検出制御部が照度に応じて針位置検出部の検出能力を調整することにより、例えば外部からの入射光が強く照度が大きい場合には、針位置検出部の検出能力を上げることで指針からの反射光が良好に検出され、指針の位置検出が良好に行われる。したがって、外部の環境にかかわらず、指針の位置検出が良好に行われる。
【００１６】
本発明の電子時計の針位置検出制御方法は、文字板と、文字板の表面側に配置された指針と、光エネルギを電気エネルギに変換して発電する光発電装置と、発光装置および受光装置を有し指針の位置を検出する針位置検出装置とを備えた電子時計の針位置検出制御方法であって、発光装置から指針に向かって出光し、受光装置により、発光装置から出光される光のうち指針から反射される反射光を受光し、受光装置での反射光の受光により指針の位置を認識する針位置検出工程と、文字板に照射される光の照度を検出する照度検出工程と、照度検出工程で検出された照度に応じて針位置検出工程での針位置検出動作を制御する針位置検出制御工程とを備えたことを特徴とする。
【００１７】
この発明によれば、針位置検出工程では、発光装置からの光は、透光性を有する文字板を透過し指針に到達し、指針で反射されて受光装置で受光される。この受光装置の受光により、針位置検出部が指針の位置を認識する。照度検出工程および針位置検出制御工程により、文字板に照射される光の照度に応じて針位置検出動作を制御するので、外部の環境に応じた適切な針位置検出動作が可能となる。したがって、外部の環境に影響されることなく正確な指針の位置検出が可能となる。これにより、本発明の第二の目的が達成される。
【００１８】
本発明の電子時計の針位置検出プログラムは、文字板と、文字板の表面側に配置された指針と、光エネルギを電気エネルギに変換して発電する光発電装置と、発光装置および受光装置を有し指針の位置を検出する針位置検出装置とを備えた電子時計の針位置検出プログラムであって、電子時計に組み込まれたコンピュータに、発光装置から指針に向かって出光し、受光装置により、発光装置から出光される光のうち指針から反射される反射光を受光し、光装置での反射光の受光により指針の位置を認識する針位置検出工程と、文字板に照射される光の照度を検出する照度検出工程と、照度検出工程で検出された照度に応じて針位置検出工程での針位置検出動作を制御する針位置検出制御工程とを実行させることを特徴とする。
【００１９】
本発明の記録媒体は、前記針位置検出プログラムが記録されたコンピュータ読み取り可能な記録媒体であることを特徴とする。
【００２０】
これらの発明においても、針位置検出制御工程において、照度検出工程で検出された照度に応じて針位置検出工程の動作を制御するので、例えば昼に電子時計の外部から太陽光が強く入射する場合や、夜に電子時計に光がほとんど入射しない場合など、外部の状況に合わせて針位置検出工程での動作を制御することにより、状況に応じた柔軟な動作が可能となり、指針の位置検出がより正確となり、位置検出性能が向上する。これにより、本発明の第二の目的が達成される。
【００２１】
本発明の電子時計は、文字板と、文字板の表面側に配置された指針と、光エネルギを電気エネルギに変換して発電する光発電装置とを備えた電子時計であって、指針に向かって出光する発光装置と、発光装置から出光される光のうち指針から反射される反射光を受光する受光装置と、受光装置での反射光の受光により指針の位置を認識する針位置検出部とを有する針位置検出装置と、文字板に照射される光の照度を検出する照度検出部と、文字板の表面側に配置され文字板への光の照射を遮蔽可能なシャッター装置と、照度検出部で検出された照度に応じてシャッター装置の動作を制御するシャッター動作制御部とを備えたことを特徴とする。
【００２２】
この発明によれば、発光装置からの光は、指針で反射されて受光装置で受光される。この受光装置の受光により、針位置検出部が指針の位置を認識する。電子時計がシャッター装置を備えているので、文字板への光の照射が遮蔽可能となる。したがって、例えば昼間に外部からの太陽光の入射が強い場合などに、シャッター動作制御部によってシャッター装置を制御して文字板への光の照射を遮断すれば、針位置検出装置の発光装置および受光装置の動作が安定して行われる。したがって、外部環境にかかわらず、指針の位置が正確に安定して検出される。これにより、本発明の第二の目的が達成される。
なお、発光装置から出光される光は、自然光、蛍光灯の光などの外光と区別可能な光であることが好ましく、例えば周波数や波長などを適宜設定することにより外光と区別可能とされることが好ましい。
【００２３】
本発明では、シャッター装置は、電子光学的装置であることが望ましい。
この発明によれば、シャッター装置が電子光学的装置であるので、電気的信号により迅速にシャッター動作が行われて光の照射が遮断可能となるので、シャッター装置の応答性が良好となる。また、シャッター装置が電子光学的装置であるので、シャッター装置の小型化、薄型化が可能となる。したがって、電子時計の小型化、薄型化が促進され、電子時計の外観を損ねることがない。なお、電子光学的装置としては、例えば液晶装置などが挙げられる。
【００２４】
本発明の電子時計の針位置検出制御方法は、文字板と、文字板の表面側に配置された指針と、光エネルギを電気エネルギに変換して発電する光発電装置と、発光装置および受光装置を有し指針の位置を検出する針位置検出装置とを備えた電子時計の制御方法であって、発光装置から指針に向かって出光し、受光装置により、発光装置から出光される光のうち指針から反射される反射光を受光し、受光装置での前記反射光の受光により指針の位置を認識する針位置検出工程と、文字板に照射される光の照度を検出する照度検出工程と、照度検出工程で検出された照度に応じて、文字板の表面側に配置され文字板への光の照射を遮蔽可能なシャッター装置の動作を制御するシャッター動作制御工程とを備えたことを特徴とする。
【００２５】
この発明によれば、針位置検出工程では、発光装置からの光は、指針で反射されて受光装置で受光される。この受光装置の受光により、針位置検出部が指針の位置を認識する。シャッター動作制御工程により、照度検出工程で検出された照度に応じて文字板への光の照射が遮蔽可能となる。したがって、例えば昼間に外部からの太陽光の入射が強い場合などに、シャッター動作制御工程においてシャッター装置を制御して文字板への光の照射を遮断すれば、針位置検出工程において発光装置および受光装置の動作が安定して行われる。したがって、外部環境にかかわらず、指針の位置が正確に安定して検出される。これにより、本発明の第二の目的が達成される。
なお、シャッター動作制御工程は、発光装置からの発光動作と、受光装置による受光動作が終了するまでの間、シャッター装置によって文字板への光の照射を遮蔽することが望ましい。このような方法によれば、より確実に安定した針位置検出が行われる。
【００２６】
本発明の電子時計の針位置検出プログラムは、文字板と、文字板の表面側に配置された指針と、光エネルギを電気エネルギに変換して発電する光発電装置と、発光装置および受光装置を有し指針の位置を検出する針位置検出装置とを備えた電子時計の針位置検出プログラムであって、電子時計に組み込まれたコンピュータに、発光装置から指針に向かって出光し、受光装置により、発光装置から出光される光のうち指針から反射される反射光を受光し、受光装置での反射光の受光により指針の位置を認識する針位置検出工程と、文字板に照射される光の照度を検出する照度検出工程と、照度検出工程で検出された照度に応じて、文字板の表面側に配置され文字板への光の照射を遮蔽可能なシャッター装置の動作を制御するシャッター動作制御工程とを実行させることを特徴とする。
【００２７】
本発明の記録媒体は、前記針位置検出プログラムが記録されたコンピュータ読み取り可能な記録媒体であることを特徴とする。
【００２８】
これらの各発明においても、電子時計がシャッター装置を備えているので、文字板への光の照射が遮蔽可能となる。したがって、例えば昼間に外部からの太陽光の入射が強い場合などに、シャッター動作制御工程によってシャッター装置を制御して文字板への光の照射を遮断すれば、針位置検出工程での発光装置および受光装置の動作が安定して行われる。したがって、外部環境にかかわらず、指針の位置が正確に安定して検出される。これにより、本発明の第二の目的が達成される。
【発明の効果】
【００２９】
本発明の電子時計、電子時計の制御方法、電子時計の針位置検出制御方法、電子時計の針位置検出プログラム、および記録媒体によれば、電子時計の外観を損ねることなく確実に指針の位置を検出できる。また、本発明によれば、外部環境に関わらず、指針の位置を正確に安定して検出できる。
【発明を実施するための最良の形態】
【００３０】
以下、本発明の実施形態を図面に基づいて説明する。なお、後述する第二実施形態以降で、以下に説明する第一実施形態での構成部品と同じ部品および同様な機能を有する部品には同一符号を付し、説明を簡単にあるいは省略する。
【００３１】
［第一実施形態］
図１には本発明の第一実施形態にかかる電子時計としての電波修正時計１の平面図が示されている。また、図２には電波修正時計１の側断面図が示されている。なお、本実施形態の電波修正時計１は、時刻情報が重畳された長波標準電波を受信して表示時刻を修正する腕時計タイプの電子時計である。
【００３２】
電波修正時計１は、約円筒状に形成された外装ケース（胴）２と、外装ケース２の表面側に装着されたカバーガラス（風防）３と、外装ケース２の裏面側に着脱可能に取り付けられた裏蓋４とを備えている。
外装ケース２は、ステンレス鋼、真鍮、チタン等の金属材料で構成されている。カバーガラス３は、非導電性かつ非磁性を有する光透過性材料で構成され、例えば無機ガラスや有機ガラスで形成される。裏蓋４は、無機ガラスやセラミックスなど、非金属・非透磁性材料等の標準電波等の無線情報や充電用の電磁波を通過させることができる材料で構成されている。
【００３３】
外装ケース２内には、文字板５と、文字板５のカバーガラス３側（表面側）に配置され時刻をアナログ式に表示する指針６と、光エネルギを電気エネルギに変換して発電する光発電装置７と、指針６の位置を検出する針位置検出装置８とが設けられている。また、文字板５の裏蓋４側には、指針６を駆動するアナログムーブメント９やアンテナ１２（図６参照）、回路基板９１などが配置されている。
【００３４】
文字板５は非導電性、非磁性、および透光性を有する材料で構成されており、例えば、無機ガラスや、プラスチック、セラミックス、紙類、その他任意の材料が採用できる。文字板５において外部から視認可能な側の面（表面）は時刻表示面５１となっており、時刻表示面５１上には透光性を有する装飾シート５２が設けられている。装飾シート５２上の外縁寄りには時刻を表す数字や文字などの装飾５３が円環状に印字されている。
【００３５】
指針６としては、時針６１、分針６２、および秒針６３が設けられている。時針６１は、分針６２および秒針６３よりも文字板５側に近接して配置され、分針６２は秒針６３よりも文字板５側に近接して配置されている。また、時針６１の回転中心から先端までの長さ寸法は、分針６２および秒針６３の回転中心から先端までの長さ寸法よりも短く設定され、分針６２の回転中心から先端までの長さ寸法は、秒針６３の回転中心から先端までの長さ寸法よりも若干短く設定されている。そして、秒針６３には、回転中心に対して時刻を指し示す側の反対側に延出した延出部６３２が形成されている。
図３には、指針６の裏面側が示されている。この図３に示されるように、時針６１、分針６２、および秒針６３の裏面側には、針位置検出装置８から出光される光を反射する鏡面部６１１，６２１，６３１がそれぞれ形成されている。これらの鏡面部６１１，６２１，６３１の他の部分は、微細な凹凸が形成された梨地面となっている。時針６１の鏡面部６１１および分針６２の鏡面部６２１は、時針６１および分針６２のそれぞれ先端側に形成されている。時針６１は分針６２よりもその長さ寸法が短いため、鏡面部６１１は鏡面部６２１よりも時針６１および分針６２の回転中心側に配置されている。秒針６３の鏡面部６３１は、延出部６３２の先端側に配置されている。
【００３６】
図４には、光発電装置７の平面図が示されている。この図４にも示されるように、光発電装置７は、光電変換により発電を行う光電変換部としての光電変換素子７１と、光電変換素子７１を支持する基板としての支持基板７２とを備えて構成されている。
光電変換素子７１は、中心角約９０度の略扇形のパネル状に形成されており、同一形状の光電変換素子７１が支持基板７２上に四枚配置され、これらの光電変換素子７１は直列に接続されている。光電変換素子７１は、文字板５側から透明電極層（ＴＯＣ）、半導体層、透明電極層がこの順で積層されて構成されている（図示省略）。透明電極層は、透明導電膜を有し、透明導電膜としては、例えば、ＳｎＯ２、ＺｎＯ、ＩＴＯ（Indium Tin Oxide）などが挙げられる。半導体層は、微結晶または非晶質のシリコンでありｐｎ接合された構造を有するＰＩＮ型フォトダイオードである。なお、文字板５から離隔する側の透明電極層には反射金属膜が蒸着されていてもよい。隣接する光電変換素子７１同士の間には、支持基板７２が露出する空隙部７３が形成されている。
支持基板７２は、ポリイミド樹脂、ガラス入りエポキシ樹脂、セラミックス等の非磁性および非導電性の材料で構成されている。支持基板７２は、文字板５と略同一の面積を有する略円形の板状であって文字板５とは反対側で光電変換素子７１に接着されている。
このような光発電装置７は、光電変換素子７１が文字板５に接合されることにより、固定されている。
【００３７】
針位置検出装置８は、時針６１を検出する時針用位置検出装置８Ａと、分針６２を検出する分針用位置検出装置８Ｂと、秒針６３を検出する秒針用位置検出装置８Ｃとを備えている。これらの針位置検出装置８（８Ａ，８Ｂ，８Ｃ）は、それぞれ、指針６（６１，６２，６３）に向かって出光する発光装置８１（８１Ａ，８１Ｂ，８１Ｃ）（図６参照）と、発光装置８１（８１Ａ，８１Ｂ，８１Ｃ）から出光される光のうち指針６(６１，６２，６３)から反射される反射光を受光する受光装置８２（８２Ａ，８２Ｂ，８２Ｃ）（図６参照）と、受光装置８２（８２Ａ，８２Ｂ，８２Ｃ）での反射光の受光により指針６（６１，６２，６３）の位置を認識する針位置検出部８３（８３Ａ，８３Ｂ，８３Ｃ）（図６参照）とを備えている。
【００３８】
図５には、針位置検出装置８の時針用位置検出装置８Ａが示されている。
時針用位置検出装置８Ａの発光装置８１Ａおよび受光装置８２Ａは、時針６１が１２時を指し示す位置において、鏡面部６１１に対応する位置に配置されている。発光装置８１Ａおよび受光装置８２Ａは、光発電装置７の光電変換素子７１の間の空隙部７３に配置され、支持基板７２に形成された孔７２１に挿通され回路基板９１に実装されることにより固定されている。したがって、時針用位置検出装置８Ａの発光装置８１Ａおよび受光装置８２Ａは、文字板５の裏面側に、裏面に密着して配置される。なお、発光装置８１Ａおよび受光装置８２Ａは、図５に示されるように、発光装置８１Ａから出光される光が、時針６１の鏡面部６１１で反射されて、受光装置８２Ａに入射するようにそれぞれの配置角度が調整されている。
【００３９】
分針用位置検出装置８Ｂの発光装置８１Ｂおよび受光装置８２Ｂは、分針６２が０分を指し示す位置において、鏡面部６２１に対応する位置に配置されている。発光装置８１Ｂおよび受光装置８２Ｂは、時針用位置検出装置８Ａの発光装置８１Ａおよび受光装置８２Ａと同様の構成を有し、光発電装置７の空隙部７３に配置され回路基板９１上に実装され、文字板５の裏面に密着して配置される。このような配置により、分針用位置検出装置８Ｂの発光装置８１Ｂおよび受光装置８２Ｂは、時針用位置検出装置８Ａの発光装置８１Ａおよび受光装置８２Ａよりも指針６（時針６１および分針６２）の回転中心より外周側に配置されている。
【００４０】
秒針用位置検出装置８Ｃの発光装置８１Ｃおよび受光装置８２Ｃは、秒針６３が０秒を指し示す位置において、鏡面部６３１に対応する位置に配置されている。ここで、鏡面部６３１は、秒針６３の延出部６３２に形成されているので、秒針用位置検出装置８Ｃの発光装置８１Ｃおよび受光装置８２Ｃは、時針用位置検出装置８Ａの発光装置８１Ａおよび受光装置８２Ａと、分針用位置検出装置８Ｂの発光装置８１Ｂおよび受光装置８２Ｂとに対して、指針６（時針６１、分針６２、および秒針６３）の回転中心を挟んで反対側に配置され、電波修正時計１の６時方向に配置されることとなる。
秒針用位置検出装置８Ｃの発光装置８１Ｃおよび受光装置８２Ｃは、時針用位置検出装置８Ａの発光装置８１Ａおよび受光装置８２Ａと同様の構成を有し、光発電装置７の空隙部７３に配置され回路基板９１上に実装され、文字板５の裏面に密着して配置される。なお、秒針用位置検出装置８Ｃの発光装置８１Ｃおよび受光装置８２Ｃは、時針用位置検出装置８Ａの発光装置８１Ａおよび受光装置８２Ａよりも指針６（時針６１および秒針６３）の回転中心側に配置されている。
【００４１】
アンテナ１２は、フェライト棒にコイルを巻いたものなど、長波標準電波（例えば４０〜７７．５ｋＨｚ）を受信可能な構成とされている。また、その形状は、一般的なバーアンテナのように、棒状（直線状）のものでもよいし、平面円弧状に湾曲されたアンテナでもよい。
【００４２】
次に、電波修正時計１の回路構成について、図６を参照して説明する。
電波修正時計１は、時刻情報が重畳された長波標準電波（無線情報）を受信する電波受信手段１０と、運針制御手段３０とを備え、電源２５からの電力によって駆動される。
【００４３】
電波受信手段１０は、受信部１１と、アンテナ１２と、受信制御部１３と、受信部１１から出力された時刻情報を記憶可能な記憶部１４と、受信スケジュールを設定する受信スケジュール部１５とを備える。
【００４４】
受信部１１は、図示しない増幅回路、バンドパスフィルタ、復調回路、デコード回路等を備え、アンテナ１２で受けた長波標準電波を処理して時刻情報（タイムコード）を取り出し、その時刻情報が正確であるかを判断して記憶部１４に記憶させることができるように構成されている。
なお、受信した時刻情報が正確であるかの判断方法は、従来の電波修正時計で利用されている各種方法が採用できる。例えば、６８分等のように非存在の時間や日になっていないかという点と、各時刻データ同士がそれぞれ予想される時刻を表しているか、つまり連続して受信した時刻データであればそれぞれが１分毎の時刻データとなっていると予測されるため、各データがそのような時刻になっているかという点とから、正確な時刻データとなっているかを確認する方法などが採用できる。
【００４５】
受信制御部１３は、後述するように、受信スケジュール部１５から指示される受信時期（スケジュール）内容に応じて受信部１１の動作を制御する。
【００４６】
受信スケジュール部１５は、受信スケジュール記憶部２１と、外部操作部２２と、強制受信指示部２３とを備えている。
【００４７】
受信スケジュール記憶部２１には、電波受信手段１０による受信処理時期として予め時計メーカで設定された受信時期（定期受信時期）が記憶されている。受信時期には、基本受信時期として、例えば毎日午前２時が設定され、基本受信時期で受信できなかった場合の再受信時期として、１時間毎に繰り下がる時刻（午前３時、４時、５時…）が設定されている。
【００４８】
外部操作部２２は、電波修正時計１に設けられるりゅうず５４（図１参照）や第１、２ボタン５５（図１参照）などで構成される。本実施形態では、外部操作部２２の操作により、強制受信指示部２３が作動されるように構成されている。
強制受信指示部２３は、外部操作部２２の操作が行われると、受信制御部１３に、受信スケジュール記憶部２１の受信時期とは関係なく標準電波の受信を指示するように構成されている。
【００４９】
運針制御手段３０は、発振部３１、分周部３２、内部カウンタ３３、比較部３４、修正制御部３５、駆動手段３６、針位置検出装置８、針位置カウンタ８４、針位置比較部８５を備え、指針６の駆動を制御している。
なお、本実施形態では、駆動手段３６は、時針６１および分針６２を駆動する時分針駆動手段３６Ａと、秒針６３を駆動する秒針駆動手段３６Ｂとを備えている。時分針駆動手段３６Ａは、図示はしないが時分モータ、時分輪列、および時分制御部とを備えている。また秒針駆動手段３６Ｂは、図示はしないが秒モータと、秒輪列、および秒制御部とを備えている。
【００５０】
発振部（発振回路）３１は、水晶振動子等の基準発振源を高周波発振させ、分周部（分周回路）３２はその発振信号を分周して所定の基準信号（例えば１Ｈｚの信号）として出力する。内部カウンタ３３は、この基準信号をカウントして現時刻を計時する。したがって、これらの各発振部３１，分周部３２、内部カウンタ３３により内部時刻を計時する内部時刻計時部が構成されている。
【００５１】
駆動手段３６の駆動制御部は、内部カウンタ３３のカウンタ値に応じて各駆動手段３６Ａ，３６Ｂのモータを駆動する駆動パルスを出力する。例えば、内部カウンタ３３内に、秒カウンタ、時分カウンタを設け、各カウンタ値がカウントアップすると、駆動手段３６の駆動制御部は、対応する時分モータまたは秒モータに駆動パルスを出力するように構成されている。
【００５２】
比較部３４は、受信部１１によって標準電波が受信された際に、記憶部１４に記憶された標準電波の時刻情報と、内部カウンタ３３のカウンタ値に基づく時刻情報とを比較し、内部カウンタ３３に基づく時刻情報が標準電波の時刻情報と異なる場合には、その時刻差情報を修正制御部３５に出力する。
【００５３】
修正制御部３５は、前記時刻差情報に基づいて内部カウンタ３３を現時刻まで更新する。この内部カウンタ３３の更新に伴い、各駆動手段３６の駆動制御部を介して各モータが駆動され、指針６が現時刻に修正される。
【００５４】
針位置カウンタ８４は、針位置検出装置８から針位置検出信号を受けた際にリセットされるとともに、駆動手段３６の駆動制御部からの駆動信号をカウントする。これにより、針位置検出装置８の計数値が指針６の位置に対応するようになっている。
針位置比較部８５は、内部カウンタ３３でカウントされている内部時刻データと、針位置カウンタ８４でカウントされる針位置データとを比較し、不一致の場合には内部カウンタ３３の修正、または指針６および針位置カウンタ８４の修正を行う。
【００５５】
電源２５は、光発電装置７と、光発電装置で発生した電力を蓄積する蓄電池２６と、光発電装置７と蓄電池２６との間に設けられた過充電防止部２７とを備える。
過充電防止部２７は、蓄電池２６の電圧を検出する電圧検出回路と、検出電圧に応じて内蔵された充電制御スイッチを制御する過充電防止制御回路とを有する。すなわち、過充電防止部２７は、電圧検出回路によって蓄電池２６の蓄電状態（充電電圧）を検出し、所定の充電レベルに達したら、過充電防止制御回路が、充電制御スイッチを切断して蓄電池２６の過充電を防止する。
【００５６】
［針位置検出動作］
このような構成の電波修正時計１における指針６の位置の検出動作を説明する。
図７は、電波修正時計１の針位置検出処理を示すフローチャートである。この図７に示されるように、電波修正時計１が起動時またはシステムリセット時であることを検出すると（ステップＳ１）、起動・システムリセット時の針位置検出処理を実行する（ステップＳ１０）。
また、電波修正時計１は、内部カウンタ３３でカウントされている内部時刻（現時刻）が０時０分０秒または１２時０分０秒であるかを判定し（ステップＳ２）、その時刻であれば０時or１２時の針位置検出処理を実行する（ステップＳ３０）。
さらに電波修正時計１は、内部カウンタ３３でカウントされている内部時刻（現時刻）が毎正分、つまり０秒であるかを判定し（ステップＳ３）、その時刻であれば毎正分の針位置検出処理を実行する（ステップＳ６０）。
【００５７】
すなわち、電波修正時計１の起動時あるいはシステムリセット時は、針位置カウンタ８４に針位置情報を有していないため、針位置検出を行う必要がある。このため、電波修正時計１が起動され、あるいはシステムリセットされると、電波修正時計１は、針位置検出処理Ｓ１０を実行する。
また、電波修正時計１は、通常運針中は１２時間毎に時針６１および分針６２の位置を検出し、１分毎に秒針６３の位置を検出している。
【００５８】
［起動・システムリセット時の針位置検出処理］
次に、起動・システムリセット時の針位置検出処理（ステップＳ１０）に関し、図８に基づいて説明する。
まず、電波修正時計１は、針位置検出装置８を作動して針位置の検出処理を実行する。本実施形態では、まず秒針用位置検出装置８Ｃが作動され、秒針６３の位置検出処理が行われる（ステップＳ１１）。具体的には、秒針用位置検出装置８Ｃの発光装置８１Ｃを作動して発光させる。発光装置８１Ｃから出光した光は、透光性の文字板５を透過するが、この際、秒針６３が０秒位置に位置している場合のみ、その光が秒針６３の鏡面部６３１に反射され、その反射光が受光装置８２Ｃによって受光される。この受光により、針位置検出部８３Ｃは秒針６３を検出し、秒針位置検出信号を出力する（針位置検出工程）。
【００５９】
ステップＳ１２では、秒針位置検出検出処理（ステップＳ１１）において秒針６３が０秒位置にあることを検出したか否かを、前記秒針位置検出信号が出力されたか否かで判断する。ここで、秒針位置検出信号が出力されていない場合には（ステップＳ１２においてＮ）、秒針駆動手段３６Ｂの駆動制御部を介して駆動信号を１発（１パルス）出力し、秒モータを１ステップ分駆動する（ステップＳ１３）。秒針６３が移動したら、電波修正時計１は再度秒針６３の位置検出処理を実施し（ステップＳ１１）、秒針６３を検出できたか判断する（ステップＳ１２）。
以上のステップＳ１１〜ステップＳ１３の処理を繰り返すと、秒針６３が１周（６０秒分）移動する間には、ステップＳ１２で秒針６３が検出されることとなる。
【００６０】
ステップＳ１２で秒針６３が検出されると（ステップＳ１２においてＹ）、電波修正時計１は、時針用位置検出装置８Ａおよび分針用位置検出装置８Ｂを作動し、時針６１および分針６２の位置検出処理を行う（ステップＳ１４）。具体的には、時針用位置検出装置８Ａの発光装置８１Ａおよび分針用位置検出装置８Ｂの発光装置８１Ｂを作動して発光させる。発光装置８１Ａ，８１Ｂから出光した光は、文字板５を透過し、時針６１および分針６２がそれぞれ０時（１２時）および０分位置に位置している場合のみ、その光が鏡面部６１１，６２１で反射され、反射光が受光装置８２Ａ，８２Ｂで受光される。この受光により針位置検出部８３Ａ，８３Ｂは時針６１および分針６２をそれぞれ検出し、時針位置検出信号および分針位置検出信号をそれぞれ出力する（針位置検出工程）。
【００６１】
ステップＳ１５では、時分針位置検出処理（ステップＳ１４）において分針６２が０分位置にあることを検出したか否かを、前記分針位置検出信号が出力されたか否かで判断する。ここで、分針位置検出信号が出力されていない場合には（ステップＳ１５においてＮ）、時分針駆動手段３６Ａの駆動制御部を介して駆動信号を１発（１パルス）出力し、時分モータを１ステップ分駆動する（ステップＳ１６）。時針６１および分針６２が移動したら、電波修正時計１は、再度時分針位置検出処理を実施（ステップＳ１５）する。
以上のステップＳ１４〜ステップＳ１６の処理を繰り返すと、分針６２が１周（６０分分）移動する間には、ステップＳ１５で分針６２が検出されることとなる。
【００６２】
ステップＳ１５で分針６２が検出されると（ステップＳ１５においてＹ）、次に、ステップＳ１７において時針が６１が０時（１２時）位置にあることを検出したか否かを、前記時針位置検出信号が出力されたか否かで判断する。ここで、時針位置検出信号が出力されていない場合には（ステップＳ１７においてＮ）、ステップＳ１６に進み前述と同様の処理を行う。
ステップＳ１７で時針６１が検出されると（ステップＳ１７においてＹ）、分針６２が０分位置にあり、かつ時針６１が０時（１２時）位置にあるため、針位置検出を終了し、通常運針に戻す（ステップＳ１８）。
【００６３】
なお、ステップＳ１２で秒針用位置検出装置８Ｃから秒針位置検出信号が出力された場合には、秒針６３が０秒位置で停止していることになる。このため、秒針位置検出信号を受けた針位置カウンタ８４は、その内部に設けられた秒針位置カウンタをリセットして０に戻し、秒針位置カウンタのカウンタ値と秒針６３の位置とが同期するようにしている。
同様に、ステップＳ１５で分針位置検出信号が出力され、かつステップＳ１７で時針位置検出信号が出力された場合には、時針６１および分針６２が０時０分位置に停止していることになるため、針位置カウンタ８４は、その内部に設けられた時針位置カウンタおよび分針位置カウンタをリセットし、時針位置カウンタおよび分針位置カウンタのカウンタ値と、時針６１および分針６２の位置がそれぞれ同期するようにしている。
【００６４】
また、ステップＳ１８で通常運針に戻す場合には、電波修正時計１は、針位置比較部８５で内部カウンタ３３のカウンタ値に針位置カウンタ８４のカウンタ値が一致するまで、駆動手段３６を駆動して指針６を早送りして現時刻に移動する。その後は、分周部３２からの基準信号に応じた通常運針を実施する。
【００６５】
［０時or１２時の指針の位置検出処理］
次に、０時or１２時の針位置検出処理（ステップＳ３０）に関し、図９に基づいて説明する。
まず、電波修正時計１は、時針用位置検出装置８Ａおよび分針用位置検出装置８Ｂを作動して時針６１および分針６２の位置検出処理を実行する（ステップＳ３１）。ステップＳ３２では、時分針位置検出処理（ステップＳ３１）において分針６２が０分位置にあることを検出したか否かを、分針位置検出信号が出力されたか否かで判断する。分針位置検出信号が出力されている場合には（ステップＳ３２においてＹ）、ステップＳ３５に進み、時針６１が０時または１２時位置にあることを検出したか否かを、時針位置検出信号が出力されたか否かで判断する。時針位置検出信号が出力されている場合には（ステップＳ３５においてＹ）、時針６１および分針６２が正しい位置にあることを検出できたので、針位置検出処理を終了し、現時刻表示に戻して通常運針に復帰し（ステップＳ３８）、０時or１２時の針位置検出処理Ｓ３０を終了する。
ここで、時分針位置検出処理（ステップＳ３０）は、内部カウンタ３３が０時０分あるいは１２時０分のときに実行されるので、通常は時針６１および分針６２が検出され（ステップＳ３２においてＹ、かつステップＳ３５においてＹ）、その場合には直ちに０時or１２時の針位置検出処理Ｓ３０が終了することとなる。
【００６６】
一方、ステップＳ３２において、分針６２が検出できなかった場合（ステップＳ３２においてＮ）には、分針６２が内部カウンタ３３の時刻情報に対してずれているため、時針６１および分針６２を１ステップずつ移動させ、その都度位置検出を行う。
具体的には、まず、分針６２の検出に、分針６２で指示される時刻において６０分分、失敗しているか否かを判断する（ステップＳ３３）。ここで、６０分分失敗している場合、つまり分針６２を１周分移動させても検出できなかった場合（ステップＳ３３においてＹ）には、針位置検出処理を終了する（ステップＳ３８）。これは例えば、分針用位置検出装置８Ｂの発光装置８１Ｂの光量が低下して誤検出などが発生した場合には、針位置検出処理を続行しても分針６２を検出できない可能性が高いためである。
【００６７】
ステップＳ３３において、まだ分針６２の検出が６０分分失敗していない場合（ステップＳ３３においてＮ）には、時分モータを１ステップ分駆動し、時針６１および分針６２を１ステップ分移動させる（ステップＳ３４）。なお、本実施形態では、分針６２は１ステップで１分移動するように設定されている。つまり、分針６２は６０ステップで１回転（３６０度移動）するように設定されており、１ステップでは、角度６度だけ回動する。また、このとき時針６１は、時分輪列によって分針６２に連動して回動する。
ステップＳ３４で時針６１および分針６２が移動すると、ステップＳ３１の時分針位置検出処理Ｓ３１を再度実行する。
【００６８】
ステップＳ３５において、時針６１が検出できなかった場合（ステップＳ３５においてＮ）には、時針６１で指示される時刻において１２時間分、失敗しているか否かを判断する（ステップＳ３６）。ここで、１２時間分失敗している場合、つまり時針６１を１周分移動させても検出できなかった場合（ステップＳ３６においてＹ）には、針位置検出処理を終了する（ステップＳ３８）。これは例えば、時針用位置検出装置８Ａの発光装置８１Ａの光量が低下して誤検出などが発生した場合には、針位置検出処理を続行しても時針６１を検出できない可能性が高いためである。
【００６９】
ステップＳ３６において、まだ時針６１の検出が１２時間分失敗していない場合（ステップＳ３６においてＮ）には、時分モータを１ステップ分駆動し、時針６１および分針６２を１ステップ分移動させる（ステップＳ３７）。
ステップＳ３７で時針６１および分針６２が移動すると、ステップＳ３１に戻って時分針位置検出処理を再度実行する。
【００７０】
［毎正分の針位置検出処理］
次に、毎正分の針位置検出処理Ｓ６０に関し、図１０に基づいて説明する。
針位置検出処理Ｓ６０が実行されると、秒針用位置検出装置８Ｃが作動し、秒針位置検出処理が行われる（ステップＳ６１）。秒針位置検出処理（ステップＳ６１）は、図８の秒針位置検出処理（ステップＳ１１）と同一の処理であるため、説明を省略する。
電波修正時計１は、秒針６３が検出されたか否かを判断し（ステップＳ６２）、検出できなかった場合には、検出失敗が６０秒分となるまで（ステップＳ６３）、秒モータの駆動による秒針６３の移動（ステップＳ６４）および秒針位置検出処理（ステップＳ６１）を繰り返す。
【００７１】
一方、ステップＳ６２で秒針６３を検出した場合や、ステップＳ６３で検出失敗が６０秒分となった場合には、針位置検出処理を終了し、通常運針を再開する（ステップＳ６５）。通常運針の再開は、まず針位置カウンタ８４でカウントされている針位置情報と、内部カウンタ３３でカウントされている現時刻情報とに基づいて指針６を現時刻に復帰し、その後通常の運針処理を行う。
【００７２】
なお、本実施形態では、秒針駆動手段３６Ｂから秒モータに駆動信号を１発出力するたびに、秒針６３が１秒分運針し、その際に秒針位置検出処理Ｓ６１を実行しており、ステップＳ６３で検出失敗が６０秒分になった場合には、秒針６３を１周分回転させても秒針６３を検出できなかったことを意味する。これは例えば発光装置８１Ｃの光量が低下して誤検出などが発生した場合には、秒針６３を検出できない可能性が高いためである。
【００７３】
［時刻修正処理］
次に、標準電波を受信して時刻の修正を行う時刻修正処理に関し、図１１に基づいて説明する。
外部操作部２２の操作により強制受信指示部２３から受信制御部１３に標準電波の受信を行う旨の通知がされると（ステップＳ２１においてＹ）、受信制御部１３は、受信部１１を作動して受信処理を実行する（ステップＳ２３）。
また、外部操作部２２の操作がない場合（ステップＳ２１においてＮ）でも、受信制御部１３は、受信スケジュール記憶部２１に設定された受信時期データを参照して、受信時期になったか否かを確認する（ステップＳ２２）。受信時期になれば、受信スケジュール部１５は受信制御部１３に対し、受信時期になったことを通知し（ステップＳ２２においてＹ）、受信制御部１３は受信部１１を作動して受信処理を実行する（ステップＳ２３）。なお、ステップＳ２２において受信時期に達していなかった場合（ステップＳ２２においてＮ）には、時刻修正を行わず、受信制御処理を終了する。
【００７４】
受信処理（ステップＳ２３）では、受信部１１がアンテナ１２を介して標準電波の受信を行う。
次に、受信部１１は受信に成功したか否かを判断する（ステップＳ２４）。そして、受信に成功した場合（ステップＳ２４においてＹ）、受信した時刻情報が記憶部１４に記憶される。比較部３４は、記憶部１４に記憶された時刻情報と内部カウンタ３３のカウンタ値とを比較し、両者の誤差に応じた時刻差情報を修正制御部３５に出力する。修正制御部３５では、この時刻差情報に基づいて内部カウンタ３３を修正し、駆動手段３６は内部カウンタ３３の修正に応じて指針６を駆動し、表示時刻を修正して正確な時刻を表示し（ステップＳ２５）、時刻修正処理を終了する。
なお、ステップＳ２４において受信が失敗した場合（ステップＳ２４においてＮ）には、時刻修正を行わず、時刻修正処理を終了する。
【００７５】
このような第一実施形態によれば、次のような効果が得られる。
(１) 針位置検出装置８（８Ａ，８Ｂ，８Ｃ）の発光装置８１Ａ，８１Ｂ，８１Ｃおよび受光装置８２Ａ，８２Ｂ，８２Ｃが、文字板５の裏面側に配置されているので、電波修正時計１の外観を損なうことがなく、良好な外観を確保できる。
また、文字板５が透光性を有するので、このような配置であっても発光装置８１Ａ，８１Ｂ，８１Ｃから出光される光が良好に指針６に到達し、また指針６からの反射光が良好に受光装置８２Ａ，８２Ｂ，８２Ｃに到達するので、指針６の位置を確実に検出できる。
さらに、指針６の鏡面部６１１，６２１，６３１からの反射光を受光して指針６の位置を検出するので、従来歯車の回転位置を検出する場合とは異なり指針６の位置を直接検出できる。したがって、指針６の位置をより確実に検出できる。
【００７６】
(２) 時針６１の鏡面部６１１が分針６２の鏡面部６２１よりも指針６の回転中心側に配置されており、これに伴って時針用位置検出装置８Ａの発光装置８１Ａおよび受光装置８２Ａが、分針用位置検出装置８Ｂの発光装置８１Ｂおよび受光装置８２Ｂよりも指針６の回転中心側に配置されているので、時針用位置検出装置８Ａで分針６２を検出してしまったり、分針用位置検出装置８Ｂで時針６１を検出してしまうなどの誤検出を確実に防止できる。
また、指針６に鏡面部６１１，６２１，６３１が形成され、その他の部分が梨地状に形成されているので、例えば時針用位置検出装置８Ａの発光装置８１Ａからの光が分針６２に当たっても、梨地状の部分で乱反射されるため、受光装置８２Ａにおいて反射光が受光されない。このため、時針用位置検出装置８Ａで分針６２を、分針用位置検出装置８Ｂで時針６１を検出することがなく、これによっても誤検出を確実に防止できる。
さらに、時針６１が分針６２よりも文字板５側に配置され、かつ時針６１が分針６２よりも短く、分針用位置検出装置８Ｂが時針６１の先端より外側に配置されているので、１２時位置で時針６１と分針６２とが重なった場合でも時針６１および分針６２の両方を検出できる。
【００７７】
(３) 秒針６３が延出部６３２を有し、鏡面部６３１がこの延出部６３２に形成されているので、時針６１、分針６２、および秒針６３が重なった位置でも、秒針６３を検出できる。また、鏡面部６３１が時針６１の鏡面部６１１および分針６２の鏡面部６２１より指針６の回転中心側に配置されているので、時針用位置検出装置８Ａや分針用位置検出装置８Ｂで秒針６３を検出してしまうことがなく、誤検出を確実に防止できる。
【００７８】
(４) 各発光装置８１Ａ，８１Ｂ，８１Ｃおよび受光装置８２Ａ，８２Ｂ，８２Ｃが、光発電装置７の光電変換素子７１と光電変換素子７１との間の空隙部７３に配置されているので、光電変換素子７１の面積を減少させることがなく、良好な発電効率を確保できる。
【００７９】
［第二実施形態］
次に、本発明の第二実施形態について説明する。第二実施形態は、電波修正時計１において文字板５付近に照射される光の照度に応じて針位置検出装置の動作を制御する点が第一実施形態と異なる他は、第一実施形態と同様である。
図１２には、第二実施形態にかかる電波修正時計１の構成ブロック図が示されている。この図１２に示されるように、電波修正時計１は、光発電装置７で発電される発電電圧を検出する照度検出部としての発電電圧検出部７４と、発電電圧検出部７４で検出された照度に応じて針位置検出装置８の動作を制御する針位置検出制御部７５とを備える。なお、照度検出部としては、発電電圧を検出するものの他、例えば所定抵抗を流れる電流値を検出するなど、任意の照度検出方法を採用できる。
【００８０】
発電電圧検出部７４は、文字板５に照射される光の照度に対応する検出値として、光発電装置７の光電変換素子７１で発電された発電電圧を検出し、この発電電圧を針位置検出制御部７５に出力する。
針位置検出制御部７５は、発電電圧に対する発光装置８１Ａ，８１Ｂ，８１Ｃの発光出力の関係が予め設定され記憶された図示しない発光出力記憶部を備えている。針位置検出制御部７５は、この発光出力記憶部の発光出力情報を参照して、発電電圧検出部７４で検出された発電電圧に応じて適切な発光出力を決定する。
【００８１】
このような第二実施形態における発光出力調整処理について、図１３に基づいて説明する。
図１３には、第二実施形態にかかる発光出力調整処理のフローチャートが示されている。第二実施形態では、第一実施形態の針位置検出処理（起動・システムリセット時の針位置検出処理、０時or１２時の針位置検出処理、および毎正分の針位置検出処理）の前に、発光出力調整処理を行う。
発光出力調整処理では、まず、発電電圧検出部７４により、光電変換素子７１の発電電圧を検出し、針位置検出制御部７５に出力する（ステップＳ４１、照度検出工程）。針位置検出制御部７５は、発光出力記憶部を参照して、検出された発電電圧に対応する発光装置８１Ａ，８１Ｂ，８１Ｃの発光出力を決定する（ステップＳ４２）。そして、針位置検出制御部７５は、決定された発光出力に応じて、針位置検出装置８Ａ，８Ｂ，８Ｃの発光装置８１Ａ，８１Ｂ，８１Ｃの発光出力を調整する（ステップＳ４３、針位置検出制御工程）。
ここで、検出された発電電圧が大きい場合には、例えば文字板５に太陽光が照射された場合など、文字板５に照射される光の照度が大きいため、発光装置８１Ａ，８１Ｂ，８１Ｃからの発光出力が足りず、受光装置８２Ａ，８２Ｂ，８２Ｃで正しく反射光を受光できない可能性がある。そこで、針位置検出制御部７５は、針位置検出装置８Ａ，８Ｂ，８Ｃのそれぞれの発光装置８１Ａ，８１Ｂ，８１Ｃの発光出力を増加させる方向に調整することとなる。
【００８２】
このような第二実施形態によれば、第一実施形態の(１)〜(４)の効果と同様の効果が得られる他、次のような効果が得られる。
(５) 発電電圧検出部７４および針位置検出制御部７５が設けられているので、文字板５に照射される光の照度に応じて針位置検出制御部７５が発光装置８１Ａ，８１Ｂ，８１Ｃの発光出力を増加させることができる。したがって、例えば直射日光が当たって文字板５へ照射される光が強い場合でも、発光装置８１Ａ，８１Ｂ，８１Ｃから適切な量の光が出光され、受光装置８２Ａ，８２Ｂ，８２Ｃで確実に反射光を受光できる。したがって、外部の環境に影響されることなく、確実かつ安定して指針６の位置を検出できる。
【００８３】
［第三実施形態］
次に、本発明の第三実施形態について説明する。第三実施形態は、第一実施形態における電波修正時計１にシャッター装置が設けられたものである。
図１４には、本発明の第三実施形態にかかる電波修正時計１の構成ブロック図が示されている。電波修正時計１は、第二実施形態と同様の構成の発電電圧検出部７４と、文字板５への光の照射を遮蔽可能なシャッター装置７６と、このシャッター装置７６の動作を制御するシャッター動作制御部７７とを備えている。なお、文字板５に照射される光の照度を検出する手段としては発電電圧検出部７４の他、第二実施形態で述べた他の照度検出部であってもよい。
【００８４】
図１５には、シャッター装置７６の側断面図が示されている。シャッター装置７６は、カバーガラス３の裏面側に接触して設けられ、二つの基板７６１，７６２間に液晶材料（図示せず）が封入された構成の電子光学的装置である。基板７６１，７６２の内面には、それぞれ全面に透明電極が形成されている。このようなシャッター装置７６では、透明電極に電圧を印加すると、基板７６１，７６２間の液晶分子の屈折率が変化し、外部からの光が乱反射することにより、白濁した表示が得られる。これにより、外部からの光がシャッター装置７６により遮蔽され、外部から文字板５への光の照射が抑制される。
なお、シャッター装置７６は、電極を多層に構成して、電子光学的表示を行うものであってもよい。この場合には、指針６によるアナログ時刻表示と、シャッター装置７６による文字や数字、模様などの電子光学的表示とを上下に重ねて表示できる。
シャッター動作制御部７７は、発電電圧検出部７４で検出された発電電圧が所定値以上であれば、シャッター装置７６を作動して外部からの光を遮断する。
【００８５】
このような第三実施形態における処理に関して、図１６に基づいて説明する。
図１６には、第三実施形態にかかる光遮蔽判断処理のフローチャートが示されている。第三実施形態では、第一実施形態の針位置検出処理（起動・システムリセット時の針位置検出処理、０時or１２時の針位置検出処理、および毎正分の針位置検出処理）の前に、光遮断判断処理を行う。
【００８６】
光遮断判断処理では、まず、発電電圧検出部７４により、光電変換素子７１の発電電圧を検出し、シャッター動作制御部７７に出力する（ステップＳ５１、照度検出工程）。シャッター動作制御部７７は、検出された発電電圧が所定値以上であるか否かを判断する（ステップＳ５２）。発電電圧が所定値以上である場合（ステップＳ５２においてＹ）には、外部から照射される光が強く、発光装置８１Ａ，８１Ｂ，８１Ｃから出光される光による反射光を受光装置８２Ａ，８２Ｂ，８２Ｃで良好に受光できない可能性がある。そこで、シャッター動作制御部７７は、シャッター装置７６を作動して基板７６１，７６２の電極間に電圧を印加してシャッター装置７６を白濁させ、外部からの光を遮蔽する（ステップＳ５３、針位置検出制御工程）。この状態で、第一実施形態で説明したのと同じ針位置検出処理（起動・システムリセット時の針位置検出処理、０時or１２時の針位置検出処理、および毎正分の針位置検出処理）を行う。ここで、シャッター装置７６が光を遮蔽する時間は、発光装置８１Ａ，８１Ｂ，８１Ｃの発光動作、受光装置８２Ａ，８２Ｂ，８２Ｃの受光動作、および針位置検出部８３Ａ，８３Ｂ，８３Ｃの検出動作に必要な時間より長く設定されていることが望ましい。
また、ステップＳ５２において、発電電圧が所定値に満たない場合（ステップＳ５２においてＮ）には、シャッター動作制御部７７は、外部からの光を遮蔽する必要がないと判断し、シャッター装置７６の作動を行わず、光遮断判断処理を終了する。
【００８７】
このような第三実施形態によれば、第一実施形態の(１)〜(４)の効果と同様の効果が得られる他、次のような効果が得られる。
(６) 電波修正時計１がシャッター装置７６を備えているので、外部から文字板５へ照射される光が強い場合には、シャッター装置７６を作動して、外部からの光を遮蔽できる。したがって、電波修正時計１に直射日光などの強い光が照射して、針位置検出装置８による指針６の位置検出が困難な状況でも、シャッター装置７６によって外部からの光を遮蔽してから針位置検出処理を行うことにより、外部の環境に影響されることなく、確実かつ安定して指針６の位置の検出処理を行える。
(７) シャッター装置７６が液晶材料が封入された電子光学的装置で構成されているため、透明基板に電圧を印加することにより、迅速に外部からの光を遮蔽できる。したがって、シャッター装置７６の応答性を良好にできる。
【００８８】
なお、本発明は前述の実施形態に限定されるものではなく、本発明の目的を達成できる範囲での変形、改良等は本発明に含まれるものである。
針位置検出装置の発光装置および受光装置の平面視での配置は、前述の実施形態のものに限られず、電子時計の仕様や性能に応じて任意の配置を採用できる。つまり例えば、図１７に示されるように、時針用位置検出装置８Ａの発光装置および受光装置を、電子時計の２時方向に、分針用位置検出装置８Ｂの発光装置および受光装置を、電子時計の１２時方向に、秒針用位置検出装置８Ｃの発光装置および受光装置を電子時計の６時方向に配置してもよい。この場合には、時針６１を２時の位置で、分針６２を０分の位置で、秒針を０秒の位置で検出できる。このように、針位置検出装置の発光装置および受光装置の平面視での配置は任意に設定できる。なお、針位置検出装置の発光装置および受光装置を図１７のように配置すると、例えば電波修正時計１の標準電波の受信スケジュールを２時頃に設定していた場合などでは、針位置を検出した直後に時刻修正処理を行うことができるので、より正確な時刻修正ができる。
【００８９】
針位置検出装置の発光装置および受光装置の平面視での配置は、隣接する光電変換部の間に形成される空隙部に配置されるものにかぎらず、前述の図１７に示されるように、光電変換素子７１が配置される位置であってもよい。この場合において、全ての針位置検出装置の発光装置および受光装置が光電変換素子７１が配置された位置にある必要はなく、例えば複数の発光装置および受光装置のうち少なくとも一つが空隙部７３に配置されていてもよい。
また、光発電装置は、光電変換部が四分割されるものに限らず、前述の図１７に示されるように光電変換素子７１が二分割され、支持基板７２上に配置されているものであってもよく、その形状および配置は任意である。また、光電変換部は、複数に分割されていなくてもよい。
【００９０】
針位置検出装置の発光装置および受光装置の側面視での配置は、図５に示されるように文字板の裏面側に接触して配置されるものに限らず、例えば図１８に示されるように、装飾シート５２の裏面側に接触して配置されているものであってもよい。図１８において、針位置検出装置８の発光装置および受光装置は、回路基板９１上に実装され、文字板５に形成された取付孔５６に挿通されている。針位置検出装置８の発光装置および受光装置は、文字板５の装飾シート５２の裏面側に接触して配置されている。このような配置であっても、文字板５の裏面側への配置といえ、前述の実施形態と同様に、電波修正時計１の外観を損ねないという効果が得られる。
また、針位置検出装置の発光装置および受光装置の側面視での配置は、図１９に示されるように、文字板５が装飾シート５２を備えていない場合では、文字板５の裏面側に凹部５７を形成し、この凹部５７に針位置検出装置８の発光装置および受光装置を配置してもよい。この場合でも、針位置検出装置８の発光装置および受光装置が文字板５の裏面側に配置されているといえ、前述の実施形態と同様に、電波修正時計１の外観を損ねないという効果が得られる。
【００９１】
指針は、秒針６３、分針６２、および時針６１でなくてもよく、例えば分針および時針のみでもよく、また時針のみでもよく、その組み合わせは任意である。
指針には、前記各実施形態では裏面側に鏡面部６１１，６２１，６３１が形成されていたが、これらの鏡面部６１１，６２１，６３１の形状は任意である。つまり、鏡面部の形状は、例えば図２０に示されるように、前記各実施形態の鏡面部６１１，６２１，６３１よりも幅寸法が小さく形成されていてもよい。特に分針６２および時針６１は、単位時間当たりの回動角度が小さいので、発光装置からの光が複数の単位時間で連続して鏡面部６１１，６２１で反射される可能性があるが、図２０では鏡面部６１１，６２１の幅寸法が小さいので、分針６２および時針６１の所定の位置のみで発光装置の光を反射できるから、指針６の検出精度を高くできる。なお、秒針６３、分針６２、および時針６１の鏡面部６３１，６２１，６１１の幅寸法は、単位時間当たりの回転量（移動量）が小さい指針の順に小さくすることが好ましく、時針６１の鏡面部６１１の幅寸法は、分針６２の鏡面部６２１の幅寸法よりも小さく、分針６２の鏡面部６２１の幅寸法は、秒針６３の鏡面部６３１よりも小さく設定することが好ましい。
【００９２】
照度検出部は、光発電装置の発電電圧を検出することにより文字板への光の照度を検出するものに限らず、例えば光発電装置の所定抵抗を流れる電流値を検出することにより、文字板への光の照度を検出するものであってもよい。また、照度検出部は、その他例えばカバーガラス（風防）の裏面側や文字板に照度計を設けて、光の照度を直接検出するものであってもよい。
【００９３】
針位置検出制御部は、第二実施形態のように、発光装置８１Ａ，８１Ｂ，８１Ｃの発光出力を調整するものに限らず、例えば、照度検出部で検出された光の照度に応じて針位置検出処理を行わない制御をするように構成されていてもよい。この場合には、例えば針位置検出制御部は、照度検出部から出力された発電電圧が所定値以上である場合には、外部から文字板に照射される光が強く針位置検出が良好に行えないと判断し、針位置検出動作を停止（中止し）、針位置検出処理を終了すればよい。このような構成によれば、針位置検出が正確に行えない状況での針位置検出動作を省略でき、電子時計の省力化を促進できる。
また、針位置検出制御部は、発光装置の発光出力を調整するものに限らず、例えば照度検出部で検出された光の照度に応じて針位置検出部の検出能力を調整するように構成されていてもよい。この場合には、針位置検出制御部は、照度検出部で検出された照度が、予め設定された所定値以上か否かを判断し、所定値以上であれば外部から文字板に照射される光が強く針位置検出が良好に行えないと判断し、針位置検出部の検出能力（検出感度）を増加させればよい。このような構成によれば、外部からの光の照度に応じて針位置検出部の検出能力を調整できるので、外部の環境に大きく影響を受けることなく、常に良好に針位置検出を行える。
【００９４】
シャッター装置は、第三実施形態のように液晶装置に限らず、例えば有機ＥＬやその他の任意の電子光学的装置が適用できる。また、シャッター装置は、電子光学的装置に限らず、機械的に光を遮蔽可能な機械的シャッター装置であってもよい。さらに、シャッター装置は、光を全波長にわたって遮蔽するものに限らず、例えば所定の波長（周波数）の光のみを遮断あるいは透過するものであってもよく、あるいは偏光フィルターなどを利用して所定の偏光面を有する光のみを遮断あるいは透過するものであってもよい。これらのような場合には、発光装置からの光を、透過される光と波長や偏光面が異なるように設定しておけば、発光装置からの光と外光とを区別できるため、指針の位置を確実に検出できる。
【００９５】
電子時計が照度検出部を備え、照度検出部で検出される照度に応じて針位置検出装置の動作を制御する針位置検出制御部を備えた電子時計である場合や、照度検出部で検出される照度に応じてシャッター装置の動作を制御するシャッター動作制御部を備えた電子時計である場合には、針位置検出装置の発光装置および受光装置が、必ずしも文字板の裏面側に配置されていなくてもよい。つまり、針位置検出装置の発光装置および受光装置は、例えば文字板の表面側に露出して配置されたり、文字板の外周側に配置されて発光装置が外縁から文字板の中心（指針の回転中心）に向かって出光するように構成されていてもよい。この場合、文字板は金属等の非透明部材により構成できるので、文字板の装飾性を高めることができる。さらに上記のような場合でも、照度検出部の照度に応じて針位置検出動作を制御したり、シャッター装置を制御することにより、外部環境にかかわらず指針を確実に検出できるので、本発明の第二の目的を達成できる。
なお、上記第二実施形態や第三実施形態の場合には、針位置検出装置として、指針に向かって出向する発光装置と、その発光装置から出光する光が指針に反射される反射光を受光する受光装置とを備えたものが採用されていたが、これに限らない。つまり、針位置検出装置は、例えば指針を駆動する輪列の各歯車に小孔などの開口部を形成し、複数の歯車の開口部が一致した際に受光装置から受光される光を受光装置が受光することによって間接的に指針位置を確認する構成であってもよい。この場合において、上記第二実施形態や第三実施形態の趣旨に沿って照度検出部を設け、その検出照度に応じて発光装置や受光装置の能力を可変にしたり、シャッター装置を設けて指針の位置検出を容易かつ確実に行うようにしてもよい。
【００９６】
また、電子時計が、第二実施形態の針位置検出制御部や第三実施形態のシャッター動作制御部を備えた電子時計である場合には、文字板は必ずしも透光性を有する材料で構成される必要はなく、例えば非透光性の材料で構成されていてもよい。この場合でも、針位置検出制御部またはシャッター動作制御部が、文字板に照射される光の照度に応じて針位置検出装置の動作あるいはシャッター装置の動作を制御するので、外部環境にかかわらず指針を確実に検出でき、本発明の第二の目的を達成できる。
さらに、上記の場合において、光発電装置は必ずしも必要ではなく、光発電装置を有しない電子時計であっても、外部環境にかかわらず指針を確実に検出できるという効果を奏することができ、本発明の第二の目的を達成できる。なお、電子時計が、光発電装置を有しない場合には、照度検出部としては、光発電装置の発電電圧や発電電流を検出するものではなく、例えば光の照度を直接検出するような照度計などを用いればよい。
【００９７】
電波修正時計は、腕時計タイプであったが、電波修正時計としては置き時計や懐中時計などでもよい。特に、携帯して使用するために受信環境（生活環境）が変化する腕時計や懐中時計などの携帯して使用する各種の電波修正時計に広く適用できる。
電子時計は、電波時計以外に多機能時計など、各種の電子時計に適用できる。
本発明の針位置検出装置、および針位置検出制御方法は、電子時計の指針の位置を検出するものであればどのようなタイプの電子時計の指針でもよく、例えば電波修正時計の指針であれば、時差設定用の指針、２４時表示針等でもよい。また、クロノグラフ（ＣＧ）用のＣＧ時針、ＣＧ分針、ＣＧ秒針、ＣＧ１／５秒針、ＣＧ１／１０秒針、ＣＧ１／１００秒針、ＣＧ用２４時針でもよい。さらに、アラーム用の各指針やアラーム設定針に用いてもよい。上記各指針の位置を検出するのは、各指針位置と内部カウンタの電子回路との一致を確認するため、あるいは設定された指針位置に内部カウンタが一致したか否かを確認するため等に用いられる。
【００９８】
さらに、本発明では、電波受信手段や運針制御手段内の針位置検出部や、針位置検出制御部、シャッター動作制御部などの各手段等は、各種論理素子等のハードウェアで構成されたものや、ＣＰＵ（中央処理装置）、メモリ（記憶装置）等を備えたコンピュータを時計や携帯機器内に設け、このコンピュータに所定のプログラムやデータ（各記憶部に記憶されたデータ）を組み込んで各手段を実現させるように構成したものでもよい。
ここで、前記プログラムやデータは、時計等の電子機器内に組み込まれたＲＡＭやＲＯＭ等のメモリに予め記憶しておけばよい。また、例えば、電子時計等の電子機器内のメモリに所定の制御プログラムやデータをインターネット等の通信手段や、ＣＤ−ＲＯＭ、メモリカード等の記録媒体を介してインストールしてもよい。そして、メモリに記憶されたプログラムでＣＰＵ等を動作させて、各手段を実現させればよい。なお、電子時計などに所定のプログラム等をインストールするには、その電子時計などにメモリカードやＣＤ−ＲＯＭ等を直接差し込んで行ってもよいし、これらの記録媒体を読み取る機器を外付けで電子時計などに接続してもよい。さらには、ＬＡＮケーブル、電話線等を電子時計などに接続して通信によってプログラム等を供給しインストールしてもよいし、無線によってプログラムを供給してインストールしてもよい。
【００９９】
このような記録媒体やインターネット等の通信手段で提供される制御プログラム等を時計等の電子機器に組み込めば、プログラムの変更のみで前記各発明の機能を実現できるため、工場出荷時あるいは利用者が希望する制御プログラムを選択して組み込むこともできる。この場合、プログラムの変更のみで制御形式の異なる各種の電子機器などを製造できるため、部品の共通化等が図れ、バリエーション展開時の製造コストを大幅に低減できる。
【０１００】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【０１０１】
【図１】本発明の第一実施形態にかかる電子時計を示す平面図。
【図２】第一実施形態にかかる電子時計の側断面図。
【図３】指針の裏面側を示す図。
【図４】光発電装置を示す図。
【図５】針位置検出装置を示す側断面図。
【図６】第一実施形態にかかる電子時計の構成ブロック図。
【図７】針位置検出処理を示すフローチャート。
【図８】起動・システムリセット時の針位置検出処理を示すフローチャート。
【図９】０時or１２時の針位置検出処理を示すフローチャート。
【図１０】毎正分の針位置検出処理を示すフローチャート。
【図１１】時刻修正処理を示すフローチャート。
【図１２】本発明の第二実施形態にかかる電子時計の構成ブロック図。
【図１３】第二実施形態の針位置検出処理を示すフローチャート。
【図１４】本発明の第三実施形態にかかる電子時計の構成ブロック図。
【図１５】シャッター装置を示す側断面図。
【図１６】第三実施形態の光遮断判断処理を示すフローチャート。
【図１７】本発明の変形例を示す図。
【図１８】本発明の別の変形例を示す図。
【図１９】本発明のさらに別の変形例を示す図。
【図２０】本発明の指針の変形例を示す図。
【符号の説明】
【０１０２】
１…電波修正時計（電子時計）、６…指針、８…針位置検出装置、８Ａ…時針用位置検出装置、８Ｂ…分針用位置検出装置、７…光発電装置、８Ｃ…秒針用位置検出装置、６１…時針、６２…分針、６３…秒針、７１…光電変換素子（光電変換部）、７２…支持基板（基板）、７３…空隙部、７４…照度検出部、７５…針位置検出制御部、７６…シャッター装置、７７…シャッター動作制御部、８１（８１Ａ，８１Ｂ，８１Ｃ）…発光装置、８２（８２Ａ，８２Ｂ，８２Ｃ）…受光装置、８３（８３Ａ，８３Ｂ，８３Ｃ）…針位置検出部。
【図１】
2006275803.tif 000003
【図２】
2006275803.tif 000004
【図３】
2006275803.tif 000005
【図４】
2006275803.tif 000006
【図５】
2006275803.tif 000007
【図６】
2006275803.tif 000008
【図７】
2006275803.tif 000009
【図８】
2006275803.tif 000010
【図９】
2006275803.tif 000011
【図１０】
2006275803.tif 000012
【図１１】
2006275803.tif 000013
【図１２】
2006275803.tif 000014
【図１３】
2006275803.tif 000015
【図１４】
2006275803.tif 000016
【図１５】
2006275803.tif 000017
【図１６】
2006275803.tif 000018
【図１７】
2006275803.tif 000019
【図１８】
2006275803.tif 000020
【図１９】
2006275803.tif 000021
【図２０】
2006275803.tif 000022